(57)【特許請求の範囲】
【請求項１】
エンジンと、
モータと、
前記エンジンと前記モータとの間に介装され前記エンジンと前記モータとを断接する第１締結要素と、
前記モータと駆動輪との間に介装され前記モータと前記駆動輪とを断接する第２締結要素と、
前記モータに電力を供給するバッテリと、
前記第１締結要素を締結し、前記第２締結要素をスリップ締結することで前記エンジンのトルクにより走行するエンジン使用スリップ走行制御手段と、
前記第１締結要素を解放し、前記第２締結要素を締結又はスリップ締結することで前記モータのトルクにより走行するモータ走行制御手段と、
前記バッテリの蓄電量が第１蓄電量以上のときは前記モータ走行制御手段を選択し、前記第１蓄電量よりも小さい第２蓄電量未満のときは前記エンジン使用スリップ走行制御手段を選択し、前記モータ走行制御手段を選択しているときに前記バッテリの蓄電量が前記第２蓄電量以上かつ前記第１蓄電量未満となったときは前記モータ走行制御手段とし、前記エンジン使用スリップ走行制御手段を選択しているときに前記バッテリの蓄電量が前記第２蓄電量以上かつ前記第１蓄電量未満となったときは前記エンジン使用スリップ走行制御手段を選択する通常制御手段と、
前記エンジン使用スリップ走行制御手段の継続時間が所定時間より長いか否かを推定する継続時間推定手段と、
前記推定された継続時間が所定時間より長いときは、前記第１蓄電量と前記第２蓄電量の差が小さくなるように変更する閾値変更手段と、
を備えたことを特徴とするハイブリッド車両の制御装置。
【請求項２】
エンジンと、
モータと、
前記エンジンと前記モータとの間に介装され前記エンジンと前記モータとを断接する第１締結要素と、
前記モータと駆動輪との間に介装され前記モータと前記駆動輪とを断接する第２締結要素と、
前記モータに電力を供給するバッテリと、
前記第１締結要素を締結し、前記第２締結要素をスリップ締結することで前記エンジンのトルクにより走行するエンジン使用スリップ走行制御手段と、
前記第１締結要素を解放し、前記第２締結要素を締結又はスリップ締結することで前記モータのトルクにより走行するモータ走行制御手段と、
前記バッテリの蓄電量が第１蓄電量以上のときは前記モータ走行制御手段を選択し、前記第１蓄電量よりも小さい第２蓄電量未満のときは前記エンジン使用スリップ走行制御手段を選択し、前記モータ走行制御手段を選択しているときに前記バッテリの蓄電量が前記第２蓄電量以上かつ前記第１蓄電量未満となったときは前記モータ走行制御手段とし、前記エンジン使用スリップ走行制御手段を選択しているときに前記バッテリの蓄電量が前記第２蓄電量以上かつ前記第１蓄電量未満となったときは前記エンジン使用スリップ走行制御手段を選択する通常制御手段と、
前記第２締結要素の温度を検出又は推定する温度検出手段と、
前記検出された温度が所定値以上のときは、前記第１蓄電量と前記第２蓄電量の差が小さくなるように変更する閾値変更手段と、
を備えたことを特徴とするハイブリッド車両の制御装置。
【請求項３】
エンジンと、
モータと、
前記エンジンと前記モータとの間に介装され前記エンジンと前記モータとを断接する第１締結要素と、
前記モータと駆動輪との間に介装され前記モータと前記駆動輪とを断接する第２締結要素と、
前記モータに電力を供給するバッテリと、
前記第１締結要素を締結し、前記第２締結要素をスリップ締結することで前記エンジンのトルクにより走行するエンジン使用スリップ走行制御手段と、
前記第１締結要素を解放し、前記第２締結要素を締結又はスリップ締結することで前記モータのトルクにより走行するモータ走行制御手段と、
前記バッテリの蓄電量が第１蓄電量以上のときは前記モータ走行制御手段を選択し、前記第１蓄電量よりも小さい第２蓄電量未満のときは前記エンジン使用スリップ走行制御手段を選択し、前記モータ走行制御手段を選択しているときに前記バッテリの蓄電量が前記第２蓄電量以上かつ前記第１蓄電量未満となったときは前記モータ走行制御手段とし、前記エンジン使用スリップ走行制御手段を選択しているときに前記バッテリの蓄電量が前記第２蓄電量以上かつ前記第１蓄電量未満となったときは前記エンジン使用スリップ走行制御手段を選択する通常制御手段と、
車両負荷を検出又は予測する車両負荷検出手段と、
前記検出された車両負荷が所定値以上のときは、前記第１蓄電量と前記第２蓄電量の差が小さくなるように変更する閾値変更手段と、
を備えたことを特徴とするハイブリッド車両の制御装置。
【請求項４】
請求項１ないし３いずれか１つに記載のハイブリッド車両の制御装置において、
前記閾値変更手段は、前記第１蓄電量を小さくすることを特徴とするハイブリッド車両の制御装置。
【請求項５】
請求項１ないし４いずれか１つに記載のハイブリッド車両の制御装置において、
前記閾値変更手段は、前記第２蓄電量を大きくすることを特徴とするハイブリッド車両の制御装置。
【請求項６】
請求項１に記載のハイブリッド車両の制御装置において、
前記継続時間推定手段は、アクセルペダルとブレーキペダルの両方が踏まれていない時間が所定時間よりも長いときは継続時間が長いと推定することを特徴とするハイブリッド車両の制御装置。
【請求項７】
請求項１または６に記載のハイブリッド車両の制御装置において、
前記継続時間推定手段は、所定時間内にアクセルペダルからブレーキペダル、もしくはブレーキペダルからアクセルペダルに踏み換えられた回数が所定回数以上のときは継続時間が長いと推定することを特徴とするハイブリッド車両の制御装置。
【請求項８】
請求項１または６または７いずれか１つに記載のハイブリッド車両の制御装置において、
前記継続時間推定手段は、前記エンジン使用スリップ走行制御手段が選択されているときにブレーキペダルが所定回数以上のときは継続時間が長いと推定することを特徴とするハイブリッド車両の制御装置。
【請求項９】
請求項１または６ないし８いずれか１つに記載のハイブリッド車両の制御装置において、
前記第１及び第２締結要素を締結し、前記エンジンのトルクにより走行するエンジン走行制御手段を設け、
前記通常制御手段は、前記エンジン使用スリップ走行制御手段を選択しているときに車速が所定車速以上のときは前記エンジン走行制御手段を選択する手段であり、
前記継続時間推定手段は、前記所定車速以上において前記モータ走行制御手段により走行している時間が長いときは継続時間が長いと推定することを特徴とするハイブリッド車両の制御装置。
【請求項１０】
請求項１ないし９いずれか１つに記載のハイブリッド車両の制御装置において、
前記モータは発電可能なモータジェネレータであり、
前記エンジン使用スリップ走行制御手段は、エンジン駆動力を用いて前記モータにより発電すると共に、前記閾値変更手段により前記第１蓄電量と前記第２蓄電量の差が小さくなるように変更したときは、変更前よりも前記モータの発電量を大きくすることを特徴とするハイブリッド車両の制御装置。
【発明の詳細な説明】
【技術分野】
【０００１】
本発明は、動力源にエンジンとモータを備えたハイブリッド車両の制御装置に関する。
【背景技術】
【０００２】
ハイブリッド車両として特許文献１の技術が開示されている。この公報には、エンジンとモータとを断接する第１締結要素と、モータと駆動輪とを断接する第２締結要素を備え、エンジンを動力源に含みながら走行するエンジン使用走行モードを有する。そして、発進時を含め、最低変速比（例えば１速）を選択しても、エンジンが自立可能な最低回転数を下回るような極低速時には、第２締結要素をスリップさせることで、エンジンの自立回転を確保して走行するものが知られている。
【特許文献１】特開２００１−２６３３８３号公報
【発明の開示】
【発明が解決しようとする課題】
【０００３】
しかしながら、上記走行モードを継続すると、第２締結要素の発熱が過剰となるおそれがあった。
【０００４】
本発明は、上記問題に着目してなされたもので、第２締結要素の過剰な発熱を抑制可能なハイブリッド車両の制御装置を提供することを目的とする。
【課題を解決するための手段】
【０００５】
上記目的を達成するため、本発明では、バッテリの蓄電量が第１蓄電量以上のときはモータ走行制御手段を選択し、第１蓄電量よりも小さい第２蓄電量未満のときはエンジン使用スリップ走行制御手段を選択し、モータ走行制御手段を選択しているときにバッテリの蓄電量が第２蓄電量以上かつ第１蓄電量未満となったときはモータ走行制御手段とし、エンジン使用スリップ走行制御手段を選択しているときにバッテリの蓄電量が第２蓄電量以上かつ第１蓄電量未満となったときはエンジン使用スリップ走行制御手段を選択する制御を行う際、エンジン使用スリップ走行制御手段の継続時間が所定時間より長いときは、第１蓄電量と第２蓄電量の差が小さくなるように変更することとした。
【発明の効果】
【０００６】
よって、本発明のハイブリッド車両の制御装置にあっては、走行制御手段を頻繁に切り換えることが可能となり、第２締結要素の発熱量を抑制できる。
【発明を実施するための最良の形態】
【０００７】
以下、本発明のハイブリッド車両の制御装置を実現する最良の形態を、図面に示す実施例に基づいて説明する。
【実施例１】
【０００８】
まず、ハイブリッド車両の駆動系構成を説明する。図１は実施例１のエンジン始動制御装置が適用された後輪駆動によるハイブリッド車両を示す全体システム図である。実施例１におけるハイブリッド車の駆動系は、図１に示すように、エンジンＥと、第１クラッチCL1と、モータジェネレータMGと、第２クラッチCL2と、自動変速機ATと、プロペラシャフトPSと、ディファレンシャルDFと、左ドライブシャフトDSLと、右ドライブシャフトDSRと、左後輪RL（駆動輪）と、右後輪RR（駆動輪）と、を有する。尚、FLは左前輪、FRは右前輪である。
【０００９】
エンジンＥは、例えばガソリンエンジンであり、後述するエンジンコントローラ１からの制御指令に基づいて、スロットルバルブのバルブ開度等が制御される。尚、エンジン出力軸にはフライホイールFWが設けられている。
【００１０】
第１クラッチCL1は、エンジンＥとモータジェネレータMGとの間に介装されたクラッチであり、後述する第１クラッチコントローラ５からの制御指令に基づいて、第１クラッチ油圧ユニット６により作り出された制御油圧により、スリップ締結を含み締結・開放が制御される。
【００１１】
モータジェネレータMGは、ロータに永久磁石を埋設しステータにステータコイルが巻き付けられた同期型モータジェネレータであり、後述するモータコントローラ２からの制御指令に基づいて、インバータ３により作り出された三相交流を印加することにより制御される。このモータジェネレータMGは、バッテリ４からの電力の供給を受けて回転駆動する電動機として動作することもできるし（以下、この状態を「力行」と呼ぶ）、ロータが外力により回転している場合には、ステータコイルの両端に起電力を生じさせる発電機として機能してバッテリ４を充電することもできる（以下、この動作状態を「回生」と呼ぶ）。尚、このモータジェネレータMGのロータは、図外のダンパーを介して自動変速機ATの入力軸に連結されている。
【００１２】
第２クラッチCL2は、モータジェネレータMGと左右後輪RL,RRとの間に介装されたクラッチであり、後述するＡＴコントローラ７からの制御指令に基づいて、第２クラッチ油圧ユニット８により作り出された制御油圧により、スリップ締結を含み締結・開放が制御される。
【００１３】
自動変速機ATは、前進５速後退１速等の有段階の変速比を車速やアクセル開度等に応じて自動的に切り換える変速機であり、第２クラッチCL2は、専用クラッチとして新たに追加したものではなく、自動変速機ATの各変速段にて締結される複数の摩擦締結要素のうち、いくつかの摩擦締結要素を流用している。尚、詳細については後述する。
【００１４】
そして、自動変速機ATの出力軸は、車両駆動軸としてのプロペラシャフトPS、ディファレンシャルDF、左ドライブシャフトDSL、右ドライブシャフトDSRを介して左右後輪RL,RRに連結されている。尚、前記第１クラッチCL1と第２クラッチCL2には、例えば、比例ソレノイドで油流量および油圧を連続的に制御できる湿式多板クラッチを用いている。
【００１５】
このハイブリッド駆動系には、第１クラッチCL1の締結・開放状態に応じて３つの走行モードを有する。第１走行モードは、第１クラッチCL1の開放状態で、モータジェネレータMGの動力のみを動力源として走行するモータ使用走行モードとしての電気自動車走行モード（以下、「EV走行モード」と略称する。）である。第２走行モードは、第１クラッチCL1の締結状態で、エンジンＥを動力源に含みながら走行するエンジン使用走行モード（以下、「HEV走行モード」と略称する。）である。第３走行モードは、第１クラッチCL1の締結状態で第２クラッチCL2をスリップ制御させ、エンジンＥを動力源に含みながら走行するエンジン使用スリップ走行モード（以下、「WSC走行モード」と略称する。）である。このモードは、特にバッテリSOCが低いときやエンジン水温が低いときに、クリープ走行を達成可能なモードである。尚、EV走行モードからHEV走行モードに遷移するときは、第１クラッチCL1を締結し、モータジェネレータMGのトルクを用いてエンジン始動を行う。
【００１６】
上記「HEV走行モード」には、「エンジン走行モード」と「モータアシスト走行モード」と「走行発電モード」との３つの走行モードを有する。
【００１７】
「エンジン走行モード」は、エンジンＥのみを動力源として駆動輪を動かす。「モータアシスト走行モード」は、エンジンＥとモータジェネレータMGの２つを動力源として駆動輪を動かす。「走行発電モード」は、エンジンＥを動力源として駆動輪RR,RLを動かすと同時に、モータジェネレータMGを発電機として機能させる。
【００１８】
定速運転時や加速運転時には、エンジンＥの動力を利用してモータジェネレータMGを発電機として動作させる。また、減速運転時は、制動エネルギを回生してモータジェネレータMGにより発電し、バッテリ４の充電のために使用する。
【００１９】
また、更なるモードとして、車両停止時には、エンジンＥの動力を利用してモータジェネレータMGを発電機として動作させる発電モードを有する。
【００２０】
次に、ハイブリッド車両の制御系を説明する。実施例１におけるハイブリッド車両の制御系は、図１に示すように、エンジンコントローラ１と、モータコントローラ２と、インバータ３と、バッテリ４と、第１クラッチコントローラ５と、第１クラッチ油圧ユニット６と、ＡＴコントローラ７と、第２クラッチ油圧ユニット８と、ブレーキコントローラ９と、統合コントローラ１０と、を有して構成されている。尚、エンジンコントローラ１と、モータコントローラ２と、第１クラッチコントローラ５と、ＡＴコントローラ７と、ブレーキコントローラ９と、統合コントローラ１０とは、互いの情報交換が可能なＣＡＮ通信線１１を介して接続されている。
【００２１】
エンジンコントローラ１は、エンジン回転数センサ１２からのエンジン回転数情報を入力し、統合コントローラ１０からの目標エンジントルク指令等に応じ、エンジン動作点（Ne：エンジン回転数,Te：エンジントルク）を制御する指令を、例えば、図外のスロットルバルブアクチュエータへ出力する。尚、エンジン回転数Ne等の情報は、ＣＡＮ通信線１１を介して統合コントローラ１０へ供給される。
【００２２】
モータコントローラ２は、モータジェネレータMGのロータ回転位置を検出するレゾルバ１３からの情報を入力し、統合コントローラ１０からの目標モータジェネレータトルク指令等に応じ、モータジェネレータMGのモータ動作点（Nm：モータジェネレータ回転数,Tm：モータジェネレータトルク）を制御する指令をインバータ３へ出力する。尚、このモータコントローラ２では、バッテリ４の充電状態を表すバッテリSOCを監視していて、バッテリSOC情報は、モータジェネレータMGの制御情報に用いると共に、ＣＡＮ通信線１１を介して統合コントローラ１０へ供給される。
【００２３】
第１クラッチコントローラ５は、第１クラッチ油圧センサ１４と第１クラッチストロークセンサ１５からのセンサ情報を入力し、統合コントローラ１０からの第１クラッチ制御指令に応じ、第１クラッチCL1の締結・開放を制御する指令を第１クラッチ油圧ユニット６に出力する。尚、第１クラッチストロークC1Sの情報は、ＣＡＮ通信線１１を介して統合コントローラ１０へ供給する。
【００２４】
ATコントローラ７は、アクセル開度センサ１６と車速センサ１７と第２クラッチ油圧センサ１８と運転者の操作するシフトレバーの位置に応じた信号を出力するインヒビタスイッチからのセンサ情報を入力し、統合コントローラ１０からの第２クラッチ制御指令に応じ、第２クラッチCL2の締結・開放を制御する指令をAT油圧コントロールバルブ内の第２クラッチ油圧ユニット８に出力する。尚、アクセルペダル開度APOと車速VSPとインヒビタスイッチの情報は、ＣＡＮ通信線１１を介して統合コントローラ１０へ供給する。
【００２５】
ブレーキコントローラ９は、４輪の各車輪速を検出する車輪速センサ１９とブレーキストロークセンサ２０からのセンサ情報を入力し、例えば、ブレーキ踏み込み制動時、ブレーキストロークBSから求められる要求制動力に対し回生制動力だけでは不足する場合、その不足分を機械制動力（摩擦ブレーキによる制動力）で補うように、統合コントローラ１０からの回生協調制御指令に基づいて回生協調ブレーキ制御を行う。
【００２６】
統合コントローラ１０は、車両全体の消費エネルギを管理し、最高効率で車両を走らせるための機能を担うもので、モータ回転数Nmを検出するモータ回転数センサ２１と、第２クラッチ出力回転数N2outを検出する第２クラッチ出力回転数センサ２２と、第２クラッチ伝達トルク容量TCL2を検出する第２クラッチトルクセンサ２３と、ブレーキ油圧センサ２４と、第２クラッチCL2の温度を検知する温度センサ１０ａと、前後加速度を検出するGセンサ１０ｂからの情報およびＣＡＮ通信線１１を介して得られた情報を入力する。
【００２７】
また、統合コントローラ１０は、エンジンコントローラ１への制御指令によるエンジンＥの動作制御と、モータコントローラ２への制御指令によるモータジェネレータMGの動作制御と、第１クラッチコントローラ５への制御指令による第１クラッチCL1の締結・開放制御と、ATコントローラ７への制御指令による第２クラッチCL2の締結・開放制御と、を行う。
【００２８】
以下に、図２に示すブロック図を用いて、実施例１の統合コントローラ１０にて演算される制御を説明する。例えば、この演算は、制御周期10msec毎に統合コントローラ１０で演算される。統合コントローラ１０は、目標駆動力演算部100と、モード選択部200と、目標充放電演算部300と、動作点指令部400と、変速制御部500と、を有する。
【００２９】
目標駆動力演算部100では、図３に示す目標駆動力マップを用いて、アクセルペダル開度APOと車速VSPとから、目標駆動力tFoOを演算する。
【００３０】
モード選択部200は、Gセンサ１０ｂの検出値に基づいて路面勾配を推定する路面勾配推定演算部201を有する。路面勾配推定演算部201は、車輪速センサ１９の車輪速加速度平均値等から実加速度を演算し、この演算結果とGセンサ検出値との偏差から路面勾配を推定する。
【００３１】
更に、モード選択部200は、WSC走行モードの継続時間を推定する継続時間推定部202を有する。継続時間推定部202は、下記の情報に基づいて推定する。
【００３２】
(i)アクセルペダルとブレーキペダルの両方が踏まれていない時間が所定時間よりも長いときは継続時間が長いと推定する。アクセルペダルが踏まれているか否かはアクセル開度センサ１６等で検出する。また、ブレーキペダルが踏まれているか否かはブレーキストロークセンサ２０等で検出する。
【００３３】
アクセルペダルとブレーキペダルの両方が踏まれていないとは、クリープ走行制御を行っているときである。トルクコンバータを備えていない実施例１にあっては、SOCが低い場合にはWSC走行モードを選択するため継続的にWSC走行モードが選択される可能性が高い。一方、SOCが高い場合はEV走行モードが選択されるものの、いずれEV領域は消失し、その後はWSC走行モードとなる。いずれの場合であってもWSC走行モードが継続的に選択されると推定できる。
【００３４】
(ii)所定時間内にアクセルペダルからブレーキペダルへの踏み替え、もしくはブレーキペダルからアクセルペダルへの踏み替えが行われた回数が所定回数以上のときは継続時間が長いと推定する。アクセル操作とブレーキ操作が頻繁に行われるときは、低車速領域で例えば車庫入れや渋滞走行をしているときである。このときも、上述と同じように、WSC走行モードが継続的に選択されると推定できる。尚、具体的な回数のカウントとしては、例えばアクセルペダルが操作されてから所定時間内にアクセルペダルが解放され、かつ、ブレーキペダルに踏み換えられた時点から所定時間内にブレーキペダルが解放された場合には、踏み替えが一回行われたとカウントする。
【００３５】
(iii)WSC走行モードが選択されているときにブレーキペダルが所定回数以上踏まれているときは継続時間が長いと推定する。この場合も、渋滞走行しているときであり、やはりWSC走行モードが継続的に選択されると推定できる。
【００３６】
(iv)後述するWSC走行モードとHEV走行モードの切り換え車速である下限車速VSP1以上においてEV走行モードにより走行している時間が長いときは継続時間が長いと推定する。すなわち、HEV領域でのEV走行時間が長いと、SOC低下に伴い車速低下時にはWSC走行モードに遷移する可能性が高く、やはり、継続的にWSC走行モードが選択されると推定できる。
【００３７】
また、モード選択部200は、検出された第２クラッチCL2の温度と、推定された路面勾配と、推定された継続時間に基づいて、後述する目標充放電量マップのうち、EVON線を低SOC側に変更する閾値変更部203を有する。図４は閾値変更部203により変更される目標充放電量マップを表す概略図である。閾値変更部203は、EVON線がSOC50％に設定されている状態から、継続時間が長いと判定されたとき、もしくは推定勾配が所定値以上のとき、もしくは第２クラッチ温度が所定値以上になると、EVON線をSOC40％に切り換える。この閾値変更部203によりSOC閾値が変更された際の作用については後述する。
【００３８】
次に、モードマップについて説明する。図５は通常モードマップを表す。通常モードマップ内には、EV走行モードと、WSC走行モードと、HEV走行モードとを有し、アクセルペダル開度APOと車速VSPとから、目標モードを演算する。但し、EV走行モードが選択されていたとしても、バッテリSOCが所定値以下であれば、強制的に「HEV走行モード」もしくは「WSC走行モード」を目標モードとする。
【００３９】
図５の通常モードマップにおいて、HEV→WSC切換線は、所定アクセル開度APO1未満の領域では、自動変速機ATが１速段のときに、エンジンＥのアイドル回転数よりも小さな回転数となる下限車速VSP1よりも低い領域に設定されている。また、所定アクセル開度APO1以上の領域では、大きな駆動力を要求されることから、下限車速VSP1よりも高い車速VSP1'領域までWSC走行モードが設定されている。尚、バッテリSOCが低く、EV走行モードを達成できないときには、発進時等であってもWSC走行モードを選択するように構成されている。
【００４０】
アクセルペダル開度APOが大きいとき、その要求をアイドル回転数付近のエンジン回転数に対応したエンジントルクとモータジェネレータMGのトルクで達成するのは困難な場合がある。ここで、エンジントルクは、エンジン回転数が上昇すればより多くのトルクを出力できる。このことから、エンジン回転数を引き上げてより大きなトルクを出力させれば、例え下限車速VSP1よりも高い車速までWSC走行モードを実行しても、短時間でWSC走行モードからHEV走行モードに遷移させることができる。この場合が図５に示す下限車速VSP1'まで広げられたWSC領域である。
【００４１】
目標充放電演算部300では、図４に示す目標充放電量マップを用いて、バッテリSOCから目標充放電電力tPを演算する。また、目標充放電量マップには、EV走行モードもしくはMWSC走行モードを許可もしくは禁止するためのEVON線がSOC＝50％に設定され、EVOFF線がSOC＝35％に設定されている。また、上述したように、閾値変更部203の指令に基づいてEVON線がSOC＝40％に変更される。
【００４２】
SOC≧50％のときは、図５の通常モードマップにおいてEV走行モード領域が出現する。モードマップ内に一度EV走行モード領域が出現すると、SOCが35％を下回るまでは、この領域は出現し続ける。
【００４３】
SOC＜35％のときは、図５の通常モードマップにおいてEV走行モード領域が消滅する。モードマップ内からEV走行モード領域が消滅すると、SOCが50％に到達するまでは、この領域は消滅し続ける。
【００４４】
動作点指令部400では、アクセルペダル開度APOと、目標駆動力tFoOと、目標モードと、車速VSPと、目標充放電電力tPとから、これらの動作点到達目標として、過渡的な目標エンジントルクと目標モータジェネレータトルクと目標第２クラッチ締結容量と自動変速機ATの目標変速段と第１クラッチソレノイド電流指令を演算する。また、動作点指令部400には、EV走行モードからHEV走行モードに遷移するときにエンジンＥを始動するエンジン始動制御部が設けられている。
【００４５】
変速制御部500では、シフトマップに示すシフトスケジュールに沿って、目標第２クラッチ締結容量と目標変速段を達成するように自動変速機AT内のソレノイドバルブを駆動制御する。尚、シフトマップは、車速VSPとアクセルペダル開度APOに基づいて予め目標変速段が設定されたものである。
【００４６】
〔WSC走行モードについて〕
次に、WSC走行モードの詳細について説明する。WSC走行モードとは、エンジンＥが作動した状態を維持している点に特徴があり、要求駆動力変化に対する応答性が高い。具体的には、第１クラッチCL1を完全締結し、第２クラッチCL2を要求駆動力に応じた伝達トルク容量TCL2としてスリップ制御し、エンジンＥ及び／又はモータジェネレータMGの駆動力を用いて走行する。
【００４７】
実施例１のハイブリッド車両では、トルクコンバータのように回転数差を吸収する要素が存在しないため、第１クラッチCL1と第２クラッチCL2を完全締結すると、エンジンＥの回転数に応じて車速が決まってしまう。エンジンＥには自立回転を維持するためのアイドル回転数による下限値が存在し、このアイドル回転数は、エンジンの暖機運転等によりアイドルアップを行っていると、更に下限値が高くなる。また、要求駆動力が高い状態では素早くHEV走行モードに遷移できない場合がある。
【００４８】
一方、EV走行モードでは、第１クラッチCL1を解放するため、上記エンジン回転数による下限値に伴う制限はない。しかしながら、バッテリSOCに基づく制限によってEV走行モードによる走行が困難な場合や、モータジェネレータMGのみで要求駆動力を達成できない領域では、エンジンＥによって安定したトルクを発生する以外に手段がない。
【００４９】
そこで、上記下限値に相当する車速よりも低車速領域であって、かつ、EV走行モードによる走行が困難な場合やモータジェネレータMGのみでは要求駆動力を達成できない領域では、エンジン回転数を所定回転数に維持し、第２クラッチCL2をスリップ制御させ、エンジントルクを用いて走行するWSC走行モードを選択する。
【００５０】
図６はWSC走行モードにおけるエンジン動作点設定処理を表す概略図、図７はWSC走行モードにおけるエンジン目標回転数を表すマップである。
【００５１】
WSC走行モードにおいて、運転者がアクセルペダルを操作すると、図７に基づいてアクセルペダル開度に応じた目標エンジン回転数特性が選択され、この特性に沿って車速に応じた目標エンジン回転数が設定される。そして、図６に示すエンジン動作点設定処理によって目標エンジン回転数に対応した目標エンジントルクが演算される。
【００５２】
ここで、エンジンＥの動作点をエンジン回転数とエンジントルクにより規定される点と定義する。図６に示すように、エンジン動作点は、エンジンＥの出力効率が高い動作点を結んだ線（以下、α線）上で運転することが望まれる。
【００５３】
しかし、上述のようにエンジン回転数を設定した場合、運転者のアクセルペダル操作量（要求駆動力）によってはα線から離れた動作点を選択することとなる。そこで、エンジン動作点をα線に近づけるために、目標エンジントルクは、α線を考慮した値にフィードフォワード制御される。
【００５４】
一方、モータジェネレータMGは、設定されたエンジン回転数を目標回転数とする回転数フィードバック制御が実行される。今、エンジンＥとモータジェネレータMGは直結状態とされていることから、モータジェネレータMGが目標回転数を維持するように制御されることで、エンジンＥの回転数も自動的にフィードバック制御されることとなる。
【００５５】
このとき、モータジェネレータMGが出力するトルクは、α線を考慮して決定された目標エンジントルクと要求駆動力との偏差を埋めるように自動的に制御される。モータジェネレータMGでは、上記偏差を埋めるように基礎的なトルク制御量（回生・力行）が与えられ、更に、目標エンジン回転数と一致するようにフィードバック制御される。
【００５６】
あるエンジン回転数において、要求駆動力がα線上の駆動力よりも小さい場合、エンジン出力トルクを大きくした方がエンジン出力効率は上昇する。このとき、出力を上げた分のエネルギをモータジェネレータMGにより回収することで、第２クラッチCL2に入力されるトルク自体は運転者の要求トルクとしつつ、効率の良い発電が可能となる。
【００５７】
ただし、バッテリSOCの状態によって発電可能なトルク上限値が決定されるため、バッテリSOCからの要求発電出力（SOC要求発電電力）と、現在の動作点におけるトルクとα線上のトルクとの偏差（α線発電電力）との大小関係を考慮する必要がある。
【００５８】
図６（ａ）は、α線発電電力がSOC要求発電電力よりも大きい場合の概略図である。SOC要求発電電力以上にはエンジン出力トルクを上昇させることができないため、α線上に動作点を移動させることはできない。ただし、より効率の高い点へ移動させることで燃費効率を改善する。
【００５９】
図６（ｂ）は、α線発電電力がSOC要求発電電力よりも小さい場合の概略図である。SOC要求発電電力の範囲内であれば、エンジン動作点をα線上に移動させることができるため、この場合は、最も燃費効率の高い動作点を維持しつつ発電することができる。
【００６０】
図６（ｃ）は、エンジン動作点がα線よりも高い場合の概略図である。要求駆動力に応じた動作点がα線よりも高いときは、バッテリSOCに余裕があることを条件として、エンジントルクを低下させ、不足分をモータジェネレータMGの力行により補う。これにより、燃費効率を高くしつつ要求駆動力を達成することができる。
【００６１】
尚、図６（ｂ）に示すように、SOC側の要求発電電力最大値よりもα線によって規定される発電電力が優先されるが、閾値変更部203によりSOC閾値が変更されると、WSC走行モードでは、発電量として上記α線によって規定される発電電力を更に上昇させる。言い換えると、エンジン動作点をα線より上の領域に移動させ、その分、発電電力を増大させる。
【００６２】
〔閾値変更部によりSOC閾値が変更された際の作用〕
次に、閾値変更部203によりSOC閾値を変更する理由及びその作用について説明する。WSC走行モードでは、第２クラッチCL2をスリップ制御するため、第２クラッチCL2は発熱するものの、同時に、SOCが低いことから例えば図６（ｂ）に示すように、モータジェネレータMGによる発電を行う。すると、SOCは徐々に増加していき、SOC＝50％に到達すると、EVON線を越えるため、WSC走行モードからEV走行モードに遷移する。
【００６３】
EV走行モードでは第１クラッチCL1を解放し、第２クラッチCL2を完全締結することから、第２クラッチCL2の温度は低下し始める。同時に、SOCは再度低下し始める。SOCが35％を下回ると、再度WSC走行モードに遷移する。このように、WSC走行モードを選択しているときは、SOC＝35％からSOC＝50％の間を行き来する。このとき、EVOFF線とEVON線との間隔が広いと、それだけ、WSC走行モードを選択する時間が長く、第２クラッチCL2の温度がクラッチ焼け開始温度を超えてしまう可能性もある。一方で、EVOFF線とEVON線との間隔が広いと、それだけEV走行モードを選択する時間を確保することもできると考えられる。しかしながら、EV走行モードによって第２クラッチCL2の温度を低下させる際には、クラッチ温度特性との間で下記に示す特性があった。
【００６４】
ここで、第２クラッチCL2の温度特性について説明する。図８は第２クラッチCL2をスリップ制御させて温度上昇した後に、完全締結させたときの温度変化を表す図である。図８に示すように、第２クラッチCL2は完全締結すると、最初の所定時間ｔ内でΔT1低下し、更にその後の所定時間ｔ内でΔT2（＜ΔT1）低下する。すなわち、温度低下効率を考えたとき、完全締結から最初の所定時間ｔ内を使うと、効率よく温度を低下することができると言える。言い換えると、完全締結時間を長く確保したとしても、常に効率よく温度低下を図ることができるわけではない。
【００６５】
すなわち、EVOFF線とEVON線との間隔が広いと、EV走行モードを選択する時間を確保できるものの、必ずしも温度低下効率が良いわけではなく、WSC走行モードを選択する時間が長いことによる温度上昇懸念の方が強いことが判明した。
【００６６】
そこで、WSC走行モードが継続的に実行されると懸念されるシーンや、車両負荷が高くWSC走行モードによる第２クラッチCL2の温度上昇が懸念されるシーン、もしくは、第２クラッチCL2の温度が実際に上昇してしまったシーンにおいては、EVOFF線とEVON線との間隔を狭めることとした。
【００６７】
図９は閾値変更処理を表すフローチャートである。
【００６８】
ステップS1では、継続時間が長いか否かを判定し、継続時間が長いと判定されたときはステップS4へ進み、それ以外のときはステップS2へ進む。
ステップS2では、推定勾配が所定値よりも大きいか否かが判定され、所定値よりも大きいと判定されたときはステップS4へ進み、それ以外のときはステップS3へ進む。
ステップS3では、第２クラッチCL2の温度が所定値よりも大きいか否かを判断し、大きいときはステップS4へ進み、それ以外のときはステップS5へ進む。
ステップS4では、EVON線をSOC＝40％に設定する。
ステップS5では、EVON線をSOC＝50％に設定する。
【００６９】
ここで、上記フローチャートに基づく作用について比較例を用いて説明する。図１０は通常制御において、SOCに応じてEV走行モードとWSC走行モードが交互に選択される様子を表すタイムチャート、図１１は図１０に示すタイムチャートのSOCの動きを目標充放電量マップに書き込んだ概略図である。
【００７０】
図１０に示すように、SOCが50％よりも大きく、EV走行モードを選択している状態を継続すると、SOCは徐々に低下していく。図１１に示すと、ポイントP1が図１１中において徐々に左方に移動していく。そして、SOCが35％未満となり、すなわちEVOFF線を下回ると、通常モードマップからEV走行モード領域が消滅するため、強制的にWSC走行モードに切り替えられる。
【００７１】
WSC走行モードでは、SOCを回復すべく発電要求が同時になされるため（図６（ｂ）参照）、SOCは回復し始める。図１１に示すと、ポイントP1が図１１中において徐々に右方に移動していく。しかしながら、WSC走行モードでは、第２クラッチCL2のスリップ量が大きいため、第２クラッチCL2の温度は急激に上昇していく。
【００７２】
このとき、SOCが50％すなわちEVON線を上回るまでは、WSC走行モードが強制的に選択されているため、第２クラッチCL2の温度は焼け開始温度を超えてしまう場合がある。ここで、焼け開始温度とは、第２クラッチCL2が過剰に高温になり、スリップ状態が終了した時点で溶着するおそれがある温度であり、仕様緒元や実験等に基づいて適宜設定される値である。
【００７３】
すなわち、図１１に示すように、EVON線とEVOFF線の間をSOCが往復するように制御しているときに、第２クラッチCL2の温度変化に着目する。このとき、第２クラッチCL2の温度Tempcl2は、焼け開始温度を何度も超えてしまうシーンが存在することとなり、第２クラッチCL2の必要な耐久性を確保することができない。
【００７４】
図１２は実施例１においてEVON線を変更した場合のタイムチャート、図１３は図１２に示すタイムチャートのSOCの動きを目標充放電量マップに書き込んだ概略図である。
【００７５】
図１３に示すように、EVON線がSOC＝40％に変更されると、EV走行モードからWSC走行モードに遷移した後、再度EV走行モードに遷移するまでのタイミングが早くなる。このとき、同時にWSC走行モードにおける発電電力が通常のα線発電よりも大きくなるように運転されるため、SOCの上昇速度を高くすることができる。
【００７６】
これにより、WSC走行モードでの継続的な走行時間を短くすることができる。また、WSC走行モードからEV走行モードに遷移する回数を増やすことで、効率よく第２クラッチCL2の温度を低下できる。
【００７７】
すなわち、図８において説明したように、締結時の温度下降特性を鑑みると、単位時間当たりに下降できる温度が大きな領域を積極的に用いる方が有利である。言い換えると、温度低下を抑制するのはモータジェネレータMGの駆動すなわちバッテリ電力であり、このバッテリ電力を用いて効率的に温度下降を望めるため、温度下降勾配の大きな領域のみで効率よく冷却することができる。
【００７８】
以上説明したように、実施例１にあっては下記に列挙する作用効果を得ることができる。
(1)WSC走行モード（エンジン使用スリップ走行制御手段）の継続時間が長いか否かを推定する継続時間推定部202（継続時間推定手段）と、推定された継続時間が所定時間より長いときは、EVON線（第１蓄電量）とEVOFF線（第２蓄電量）との差が小さくなるように変更する閾値変更部203（閾値変更手段）を備えた。
【００７９】
よって、WSC走行モードとEV走行モードを頻繁に遷移させることが可能となり、第２クラッチCL2の発熱量を抑制できる。
【００８０】
(2)第２クラッチCL2の温度を検出する温度センサ１０ａと、検出された温度が所定値以上のときは、EVON線（第１蓄電量）とEVOFF線（第２蓄電量）との差が小さくなるように変更する閾値変更部203（閾値変更手段）を備えた。
【００８１】
よって、WSC走行モードとEV走行モードを頻繁に遷移させることが可能となり、第２クラッチCL2の発熱量を抑制できる。
【００８２】
(3)車両負荷である路面勾配を推定する路面勾配推定演算部201と、推定された路面勾配が所定値以上のときは、EVON線（第１蓄電量）とEVOFF線（第２蓄電量）との差が小さくなるように変更する閾値変更部203（閾値変更手段）を備えた。
【００８３】
よって、WSC走行モードとEV走行モードを頻繁に遷移させることが可能となり、第２クラッチCL2の発熱量を抑制できる。
【００８４】
(4) 閾値変更部203は、EVON線（第１蓄電量）を小さくした。よって、EV走行モードの時間を長くでき、WSC走行モードによる走行時間を短縮することができる。
【００８５】
(5)アクセルペダルとブレーキペダルの両方が踏まれていない時間が所定時間よりも長いときは継続時間が長いと推定することとした。
【００８６】
アクセルペダルとブレーキペダルの両方が踏まれていないとは、クリープ走行制御を行っているときである。トルクコンバータを備えていない実施例１にあっては、SOCが低い場合にはWSC走行モードを選択するため継続的にWSC走行モードが選択される可能性が高い。一方、SOCが高い場合はEV走行モードが選択されるものの、いずれEV領域は消失し、その後はWSC走行モードとなる。いずれの場合であってもWSC走行モードが継続的に選択されると推定できる。
【００８７】
(6)所定時間内にアクセルペダルからブレーキペダルへの踏み替え、もしくはブレーキペダルからアクセルペダルへの踏み替えが行われた回数が所定回数以上のときは継続時間が長いと推定することとした。
【００８８】
アクセル操作とブレーキ操作が頻繁に行われるときは、低車速領域で例えば車庫入れや渋滞走行をしているときである。このときも、上述と同じように、WSC走行モードが継続的に選択されると推定できる。
【００８９】
(7)WSC走行モードが選択されているときにブレーキペダルが所定回数以上踏まれているときは継続時間が長いと推定することとした。
【００９０】
ブレーキ操作が頻繁に行われるときは、低車速領域で例えば車庫入れや渋滞走行をしているときである。このときも、WSC走行モードが継続的に選択されると推定できる。
【００９１】
(8) WSC走行モードとHEV走行モードの切り換え車速である下限車速VSP1以上においてEV走行モードにより走行している時間が長いときは継続時間が長いと推定することとした。
【００９２】
すなわち、HEV領域でのEV走行時間が長いと、SOC低下に伴い車速低下時にはWSC走行モードに遷移する可能性が高く、やはり、継続的にWSC走行モードが選択されると推定できる。
【００９３】
(9)通常のWSC走行モードにおいて、エンジン駆動力を用いてモータジェネレータMGによりα線発電する構成において、閾値変更部203によりSOC閾値が変更されたときは、変更前よりもモータジェネレータMGの発電量を大きくすることとした。具体的には、α線よりも上の領域でエンジンを駆動し、より大きな発電力をえることとした。
【００９４】
よって、WSC走行モードにおけるSOC上昇速度を高くすることが可能となり、より素早くEV走行モードに遷移することができる。これにより、第２クラッチCL2の発熱を抑制することができる。
【００９５】
以上、実施例１に基づいて説明したが、上記構成に限られず本発明の範囲を逸脱しない範囲で他の構成を取り得る。
【００９６】
例えば、実施例１では、閾値変更部203は、EVON線をSOCが低くなる値に変更した。これに対し、EVOFF線をSOCが高くなる値に変更してもよい。図１４は閾値変更部203により変更される目標充放電量マップを表す概略図である。閾値変更部203は、EVOFF線がSOC＝35％に設定されている状態から、継続時間が長いと判定されたとき、もしくは推定勾配が所定値以上のとき、もしくは第２クラッチ温度が所定値以上になると、EVOFF線をSOC＝40％に切り換える。これにより、SOCが高い状態を維持しつつEV走行モードとWSC走行モードを頻繁に切り換えることができる。
【００９７】
また、実施例１では、EVON線をSOCが低くなる値に変更したが、EVON線とEVOFF線を一本の線としてもよい。図１５は閾値変更部203により変更される目標充放電量マップを表す概略図である。閾値変更部203は、EVON線がSOC＝50％に設定されている状態から、EVOFF線が設定されているSOC＝35％の位置に変更し、EVON線とEVOFF線とが一致するようにしてもよい。これにより、より細かくEV走行モードとWSC走行モードを切り換えることができる。尚、EVON線とEVOFF線とが一致するようにした場合、例えば、一致した値をSOC＝35％に限らず、他のSOCの値に変更してもよい。
【００９８】
また、実施例１では、車両負荷として路面勾配を検出又は推定することとしたが、車両牽引等の有無を検出するようにしてもよいし、車載荷重を検出してもよい。このように車両負荷が大きい場合には車速の上昇が遅く、第２クラッチCL2が発熱しやすいからである。
【００９９】
また、第２クラッチCL2の温度を検出する手段として、温度センサ１０ａを設けたが、第２クラッチCL2の差回転や伝達トルク容量TCL2に基づいて発熱量を推定してもよい。
【０１００】
また、実施例１では、FR型のハイブリッド車両について説明したが、FF型のハイブリッド車両であっても構わない。
【図面の簡単な説明】
【０１０１】
【図１】実施例１の後輪駆動のハイブリッド車両を示す全体システム図である。
【図２】実施例１の統合コントローラにおける演算処理プログラムを示す制御ブロック図である。
【図３】図２の目標駆動力演算部にて目標駆動力演算に用いられる目標駆動力マップの一例を示す図である。
【図４】図２の目標充放電演算部にて目標充放電電力の演算に用いられる目標充放電量マップの一例を示す図である。
【図５】図２のモード選択部にて目標モードの選択に用いられる通常モードマップを示す図である。
【図６】WSC走行モードにおけるエンジン動作点設定処理を表す概略図である。
【図７】WSC走行モードにおけるエンジン目標回転数を表すマップである。
【図８】第２クラッチの温度変化特性を表す図である。
【図９】SOC閾値変更処理を表すフローチャートである。
【図１０】通常制御において、SOCに応じてEV走行モードとWSC走行モードが交互に選択される様子を表すタイムチャートである。
【図１１】図１２に示すタイムチャートのSOCの動きを目標充放電量マップに書き込んだ概略図である。
【図１２】SOC閾値を変更した場合の、SOCに応じてEV走行モードとWSC走行モードが交互に選択される様子を表すタイムチャートである。
【図１３】図１２に示すタイムチャートのSOCの動きを目標充放電量マップに書き込んだ概略図である。
【図１４】他の実施例における図２の目標充放電演算部にて目標充放電電力の演算に用いられる目標充放電量マップの一例を示す図である。
【図１５】他の実施例における図２の目標充放電演算部にて目標充放電電力の演算に用いられる目標充放電量マップの一例を示す図である。
【符号の説明】
【０１０２】
Ｅ  エンジン
CL1  第１クラッチ
MG  モータジェネレータ
CL2  第２クラッチ
AT  自動変速機
１  エンジンコントローラ
２  モータコントローラ
３  インバータ
４  バッテリ
５  第１クラッチコントローラ
６  第１クラッチ油圧ユニット
７  ＡＴコントローラ
８  第２クラッチ油圧ユニット
９  ブレーキコントローラ
１０  統合コントローラ
２４  ブレーキ油圧センサ
100  目標駆動力演算部
200  モード選択部
300  目標充放電演算部
400  動作点指令部
【図１】
0005056482.tif 000002
【図２】
0005056482.tif 000003
【図３】
0005056482.tif 000004
【図４】
0005056482.tif 000005
【図５】
0005056482.tif 000006
【図６】
0005056482.tif 000007
【図７】
0005056482.tif 000008
【図８】
0005056482.tif 000009
【図９】
0005056482.tif 000010
【図１０】
0005056482.tif 000011
【図１１】
0005056482.tif 000012
【図１２】
0005056482.tif 000013
【図１３】
0005056482.tif 000014
【図１４】
0005056482.tif 000015
【図１５】
0005056482.tif 000016